(57)【特許請求の範囲】
【請求項１】
サイドフレームを有するベッド本体と、
上記サイドフレームの外面の長手方向に沿って取り付けられる緩衝部材を具備し、
上記サイドフレームには、上記緩衝部材が取り付けられる外面に突出する複数の係合部が長手方向に所定間隔でプレス加工されていて、
上記緩衝部材には上記係合部に係合する係合溝が長手方向全長にわたって形成されていることを特徴とするベッド装置。
【請求項２】
上記サイドフレームは帯状板材を角筒状に成形加工されていて、
上記係合部は上記帯状板材を角筒状に成形加工する前にプレス加工されることを特徴とする請求項１記載のベッド装置。
【請求項３】
上記係合部は、上記緩衝部材に形成された係合溝の幅寸法とほぼ同径の外径寸法の円形部を有することを特徴とする請求項１記載のベッド装置。
【発明の詳細な説明】
【技術分野】
【０００１】
この発明はベッド本体のサイドフレームに緩衝部材が設けられるベッド装置に関する。
【背景技術】
【０００２】
一般に、ベッド装置はベッド本体を有する。このベッド本体は所定間隔で平行に離間した一対のサイドフレームの長手方向一端にヘッドボード、他端にフットボードが連結されて構成されている。
【０００３】
身体の不自由な利用者が利用する、たとえば病院用などのベッド装置においては、一対のサイドフレーム間に架設される床板体は複数の床部に分割されている。複数の床部は互いに回動可能に連結されていて、長手方向中央に位置する床部は上記ベッド本体に固定され、他の床部は起伏機構によって起伏駆動させることができるようになっている。それによって、床板体上に載置されるマットレスに仰臥した利用者は、床部を起上駆動させることで、上半身を起こしたり、脚部を屈曲させるなどのことができるようになっている。
【０００４】
病院用のベッド装置の場合、病院内の一箇所に固定的に設置されることはなく、治療室や病室などの間を移動させるということが行われることが多くある。ベッド装置を移動させる際、そのベッド装置を治療室や病室などの柱や壁、或いは種々の設置物などにぶつけることがあり、そのような場合にはそれらを損傷させるということがある。
【０００５】
そこで、ベッド装置のサイドフレームの外面に、合成樹脂やゴムなどの弾性材料で形成された帯状の緩衝部材を取り付け、ベッド本体のサイドフレームが柱や壁、或いは種々の設置物などぶつかったときに、それらに与える衝撃を低減させるようにしている。
【０００６】
特許文献１にはベッド装置のサイドフレームに緩衝部材に相当するサイドバンパーを取り付けることが示されている。すなわち、サイドフレームの長手方向に複数の取り付け穴を所定間隔で形成し、各穴には緩衝部材を取り付けるための専用の部品である、支持部材を装着する。支持部材には四角形の頭部が形成され、上記緩衝部材には上記頭部に係合する係合溝が形成されている。
【０００７】
したがって、サイドフレームに支持部材を装着した後、その頭部に緩衝部材の係合溝を係合させることで、緩衝部材をサイドフレームに取り付けるようにしている。
【特許文献１】特開２０００−１５７５７７号公報
【発明の開示】
【発明が解決しようとする課題】
【０００８】
上記緩衝部材は、通常、上記サイドフレームのほぼ全長にわたって設けられる。サイドフレームは長尺であり、しかも弾性材料によって形成されている。そのため、サイドフレームに取り付けられた緩衝部材が変形したり、脱落しないよう確実に取り付けるためには、上記支持部材を上記サイドフレームの長手方向に対して比較的狭い間隔、たとえば１５〜２０ｃｍ程度の間隔で設けなければならない。それによって、１つのサイドフレームに対し、たくさんの支持部材、たとえば１０〜１５個程度設けなければならなくなる。
【０００９】
しかしながら、サイドフレームにたくさんの支持部材を取り付けるようにすると、支持部材の数が多くなることでコストアップを招いたり、上記支持部材の取り付け作業に手間が掛かるということがあった。
【００１０】
この発明は、サイドフレームに緩衝部材を取り付けるために、専用の部品を用いずにすむようにしたベッド装置を提供することにある。
【課題を解決するための手段】
【００１１】
この発明は、サイドフレームを有するベッド本体と、
上記サイドフレームの外面の長手方向に沿って取り付けられる緩衝部材を具備し、
上記サイドフレームには、上記緩衝部材が取り付けられる外面に突出する複数の係合部が長手方向に所定間隔でプレス加工されていて、
上記緩衝部材には上記係合部に係合する係合溝が長手方向全長にわたって形成されていることを特徴とするベッド装置にある。
【００１２】
上記サイドフレームは帯状板材を角筒状に成形加工されていて、
上記係合部は上記帯状板材を角筒状に成形加工する前にプレス加工されることが好ましい。
【００１３】
上記係合部は、上記緩衝部材に形成された係合溝の幅寸法とほぼ同径の外径寸法の円形部を有することが好ましい。
【発明の効果】
【００１４】
この発明によれば、サイドフレームに緩衝部材を係合保持する係合部をプレス加工して形成するため、緩衝部材を取り付けるための専用の部品が不要となり、コストの低減を図ることが可能となる。
【発明を実施するための最良の形態】
【００１５】
以下、この発明の一実施の形態を図面を参照しながら説明する。  
図１は病院などで用いられるベッド装置の側面図であって、このベッド装置はベッド本体１を備えている。ベッド本体１はベースフレーム２を有する。このベースフレーム２は矩形枠状に形成されていて、その四隅部にはストッパ付のキャスタ３が設けられている。それによって、ベースフレーム２は走行可能となっている。
【００１６】
上記ベースフレーム２には上下駆動機構４によって載置フレーム５が上下動可能、つまり高さ調整可能に設けられている。上記上下駆動機構４は、駆動源６を有する。上記ベースフレーム２の四隅部には連動アーム７（４つのうちの２つを図示）の一端が枢着されている。各連動アーム７の他端は上記載置フレーム５の長手方向両端部の両側内面にそれぞれ枢着されている。載置フレーム５の長手方向の両端部に設けられた左右一対の連動アーム７は図示しない連結杆によって連結されている。
【００１７】
上記駆動源６は上記連動アーム７を図示しない動力伝達機構を介して揺動駆動する。それによって、上記載置フレーム５が上下方向に駆動されるようになっている。載置フレーム５の長手方向一端にはヘッドボード８、他端にはフットボード９がほぼ垂直に設けられている。
【００１８】
上記載置フレーム５の上面には床フレーム１１が載置されている。この床フレーム１１の上面には床板体１２が設けられている。床板体１２は背床部１３ａ，腰床部１３ｂ，固定床部１３ｃ、第１の脚床部１３ｄ及び第２の脚床部１３ｅの５つの床部に分割されている。
【００１９】
５つの床部１３ａ〜１３ｅは互いに回動可能に連結されていて、上記固定床部１３ｃは上記床フレーム１１に固定されている。この床フレーム１１には起伏駆動機構１５が設けられ、この起伏駆動機構１５によって上記背床部１３ａ，腰床部１３ｂ、第１の脚床部１３ｄ及び第２の脚床部１３ｅが起伏駆動されるようになっている。
【００２０】
上記載置フレーム５は矩形枠状に形成されていて、幅方向両側に位置する一対のサイドフレーム１７（１つのみ図示）の外面には長手方向全長にわたって合成樹脂などの弾性材料によって形成された緩衝部材１８が取り付けられている。
【００２１】
上記サイドフレーム１７は帯状板材１９（図３（ａ）に示す）の一方の面を塗装してから、その塗装面が外側になるよう図４に示すように角筒状に成形される。上記帯状板材１９には、その一方の面に塗装を施す前に、サイドフレーム１７の外面となる部分にプレス加工によって複数の係合部２１（図３（ａ）に２つ示す）が所定間隔で形成される。複数の係合部２１はたとえば１５〜２０ｃｍ間隔で形成されていて、上記サイドフレーム１７の外面には１０〜１５個の係合部２１が形成される。
【００２２】
なお、複数の係合部２１は一度のプレス加工で形成してもよいが、金型を小型化するめには一度のプレス加工によって１〜２個の係合部２１を形成するようにすることが好ましい。
【００２３】
上記係合部２１は、上記帯状部材１９の一部を外面側に突出させた帯部２１ａ及びこの帯部２１ａの長手方向中央に形成された帯部２１ａの幅寸法よりも大径な円形部２１ｂによって形成されている。
【００２４】
上記緩衝部材１８は図２と図４に示すように外面が幅方向に沿って凸状に湾曲した湾曲部１８ａ及びこの湾曲部１８ａの両端に幅方向内方に向かって折り曲げられた係合片１８ｂによって一対の係合溝１８ｃを有する形状に形成されている。図４にＷで示す一対の係合溝１８ｃの幅寸法は、上記係合部２１の円形部２１ｂの直径Ｄとほぼ同じに設定されている。
【００２５】
そして、緩衝部材１８の一対の係合溝１８ｃを、図４に鎖線で示すようにサイドフレーム１７の長手方向一端部に位置する係合部２１の円形部２１ｂに係合させたのち、その緩衝部材１８をサイドフレーム１７の長手方向に沿ってスライドさせてその係合溝１８ｃに複数の円形部２１ｂを係合させれば、上記緩衝部材１８をサイドフレーム１７の外面に取り付けることができる。
【００２６】
このような構成のベッド装置によれば、サイドフレーム１７に緩衝部材１８を取り付けるための複数の係合部２１を、帯状板材１９から上記サイドフレーム１７を成形する前に、プレス加工して形成するようにした。つまり、サイドフレーム１７を構成する帯状部材１９の一部を外面側に突出させて上記係合部２１として利用するようにした。
【００２７】
そのため、サイドフレーム１７に緩衝部材１８を取り付けるために、専用の部品を用いずにすむから、使用する部品点数を減少してコストの低減を図ることができる。
【００２８】
上記係合部２１に円形部２１ｂを形成し、この円形部２１ｂに緩衝部材１８の係合溝１８ｃを係合させるようにした。係合溝１８ｃの内面に対して円形部２１ｂの外周面は一部だけがほぼ点接触状態で接触する。そのため、円形部２１ｂに係合溝１８ｃを係合させたときに、これら両者の摩擦抵抗を低減できるから、たくさんの係合部２１の円形部２１ｂに対して緩衝部材１８を円滑にスライドさせて取り付けることができる。
【００２９】
さらに、上記係合部２１は、サイドフレーム１７を角筒状に成形加工する前にプレス加工するようにした。そのため、上記係合部２１の加工を容易に、しかも確実に行うことが可能となる。
【００３０】
上記一実施の形態では係合部は円形部を有する形状としたが、円形部に代わってしか矩形状や四角以上の多角形状などであってもよく、要は緩衝部材の係合溝に係合させることができるよう、帯部よりも幅寸法が大きな形状であればよい。
【図面の簡単な説明】
【００３１】
【図１】この発明の位置実施の形態を示すベッド装置の側面図。
【図２】緩衝部材の斜視図。
【図３】（ａ）はサイドフレームの一部を示す正面図、（ｂ）はサイドフレームの係合部が形成された部分の長手方向に沿う断面図。
【図４】サイドフレームの係合部が形成された部分の長手方向と直交する方向の断面図。
【符号の説明】
【００３２】
１…ベッド本体、１７…サイドフレーム、１８…緩衝部材、１８ａ…湾曲部、１８ｂ…係合片、１８ｃ…係合溝、２１…係合部、２１ａ…帯部、２１ｂ…円形部。
【図１】
0005148249.tif 000002
【図２】
0005148249.tif 000003
【図３】
0005148249.tif 000004
【図４】
0005148249.tif 000005